(57)【要約】【課題】切断位置近傍において、記録媒体の紙浮きが発生しても、ロール紙のカットラインを直線にすることが可能な記録装置を提供する。【解決手段】記録装置は、記録媒体の搬送方向に対して直交する方向に延びる刃先３１ａを有する固定刃３１と、固定刃３１の刃先３１ａに斜めに当接する回転刃２１と、を有し、回転刃２１を固定刃３１の刃先３１ａに沿って移動させることにより記録媒体を切断する切断装置８と、切断装置８を二つ以上設けられた切断位置のいずれかに移動させる昇降手段４０と、を有し、切断装置８の少なくとも一つの切断位置は、記録媒体の搬送面より上方に突出した上方突出位置にあり、昇降手段４０は切断位置近傍における記録媒体の搬送面からの浮き量がある閾値より大きいときに切断装置８の切断位置を上方突出位置に移動させる。【選択図】図８
2013111915.tif 000002
【特許請求の範囲】
【請求項１】
記録媒体の搬送方向に対して直交する方向に延びる刃先を有する固定刃と、前記固定刃の前記刃先に斜めに当接する回転刃と、を有し、前記回転刃を前記固定刃の前記刃先に沿って移動させることにより前記記録媒体を切断する切断装置と、前記切断装置を二つ以上設けられた切断位置のいずれかに移動させる昇降手段と、を有し、
前記切断装置の少なくとも一つの前記切断位置は、前記記録媒体の搬送面より上方に突出した上方突出位置にあり、前記昇降手段は切断位置近傍における前記記録媒体の前記搬送面からの浮き量がある閾値より大きいときに前記切断装置の前記切断位置を前記上方突出位置に移動させる、記録装置。
【請求項２】
前記切断位置近傍における前記記録媒体の前記浮き量を検出する記録媒体浮き量検出手段を有し、前記記録媒体浮き量検出手段の検出結果に応じて前記切断装置の前記切断位置を移動させる、請求項１に記載の記録装置。
【請求項３】
前記切断位置近傍における前記記録媒体の前記浮き量を推測する記録媒体浮き量推測手段を有し、前記記録媒体浮き量推測手段の推測結果に応じて前記切断装置の前記切断位置を移動させる、請求項１に記載の記録装置。
【請求項４】
前記記録媒体浮き量推測手段は、前記記録媒体の種類と、前記記録媒体の巻き径と、画像のインク打ち込み量と、環境の温度と、に基づき前記切断位置近傍における前記記録媒体の前記浮き量を推測する、請求項３に記載の記録装置。
【請求項５】
前記昇降手段は前記回転刃の移動に伴う前記記録媒体の切断動作時には前記切断装置を前記切断位置に移動させ、前記記録媒体の前記切断動作時でないときには前記切断装置を前記切断位置から退避させた位置に移動させる、請求項１から４のいずれか１項に記載の記録装置。
【発明の詳細な説明】
【技術分野】
【０００１】
本発明は、ロール状の記録媒体をシート状に切断するための切断装置を備えた記録装置に関するものである。
【背景技術】
【０００２】
ポスターなどを印刷する大判系のインクジェット式プリンタ等の記録装置においては、Ａ０判やＢ０判等といった大判サイズの記録媒体が普及し、プリンタサイズが大型化することに伴い、幅の広いロール紙をシート状に切断することが要求されてきている。また、使用される記録媒体の種類も、フィルムや紙、厚紙、布、不織布、粘着紙、ラベル紙等、またこれらにコーティングやラミネートを施したもの、さらにこれらの中で厚さが異なるものまで多種多様になってきている。このために、ユーザの利便性を考慮して、多種多様なロール紙に対応可能な切断装置の構成が開示されている（特許文献１及び特許文献２参照）。
【０００３】
特許文献１において、インクジェットプリンタは、ロール紙の搬送路の下面にプラテンを設け、プラテンの搬送方向下流側には切断装置が設けられている。切断装置は、丸刃と固定刃とを有する。固定刃はロール紙の搬送路の下面全幅に渡り搬送方向と直交する方向に配され、その固定刃に沿って丸刃を移動させることでロール紙を切断する。また、丸刃を保持している丸刃ユニットには、固定刃上面からロール紙が浮くことを防止するように浮き規制部材が設けられている。ロール紙の切断時には、切断位置近傍に配されたプラテンにおいてロール紙を吸引することにより紙浮きを制限し、且つ、浮き規制部材がある一定の隙間で浮きを規制することで、ロール紙の切断不良を防止することを可能にしている。
【０００４】
切断装置はロール紙の搬送方向と直交する方向に刃先を設けた固定刃と、固定刃の刃先に所定の角度を設けて、回転可能に当接する丸刃とから構成される。丸刃はロール紙の搬送方向に対し角度を有することにより、ロール紙の切断時、丸刃は搬送方向上流側に喰い込もうとする。そのため、丸刃の切断方向への移動に伴い、ロール紙は搬送方向上流側から下流側に引っ張られながら切断される。
【０００５】
また、特許文献２において、記録装置は、記録実行部のロール紙の搬送路下面にプラテンを設け、ロール紙をプラテン側に吸引するために、プラテンの搬送方向下流側にはエア吸引手段が設けられている。更にエア吸引手段の搬送方向下流側には切断部が設けられている。切断部は、２つの丸刃を保持するカッタユニットを有する。カッタユニットはロール紙の搬送路の上面全幅に渡り搬送方向と直交する方向に配されたガイドレールに沿って移動させられることでロール紙を切断する。また、ロール紙の搬送路の上面において、切断部の搬送方向上流側及び下流側には、それぞれロール紙の浮き上がりを制限することができるように上流側補助ローラ及び下流側補助ローラが設けられている。ロール紙の切断時には、エア吸引手段、上流側補助ローラ及び下流側補助ローラによって、ロール紙の浮きを制限することで、ロール紙の切断不良を防止することを可能にしている。
【先行技術文献】
【特許文献】
【０００６】
【特許文献１】特開２００４−２６８２２５
【特許文献２】特開２００９−２１４２３７
【発明の概要】
【発明が解決しようとする課題】
【０００７】
特許文献１のような構成においては、切断装置の搬送方向上流側にプラテンを配したり、丸刃ユニットに浮き規制部材を設けたりしているため、切断装置の搬送方向上流側に紙浮きが発生し難い構成である。しかしながら、多種多様なロール紙を使用するに至っては、プラテンと浮き規制部材との僅かな隙間においてもロール紙がカールすることにより、紙浮きが発生する場合がある。切断開始前に、切断装置の搬送方向上流側に紙浮きが発生していると、丸刃の移動に伴い、ロール紙は紙浮きによるたるみ分だけ搬送方向下流側に引っ張られた状態となるため、切断動作の過程でロール紙の位置が変位するおそれがある。ロール紙は、固定刃の刃先に沿って切断されるため、ロール紙の位置が切断動作の過程で変位すれば、カットラインが直線にならず、切断開始側にて曲がるおそれがある。
【０００８】
また、特許文献２のような構成においては、切断部の搬送方向上流側にエア吸引手段を配したり、上流側補助ローラ及び下流側補助ローラを設けたりしているため、切断装置の搬送方向上流側に紙浮きが発生し難い構成である。しかしながら、本構成においても、上流側補助ローラはロール紙の紙浮きを完全に拘束するようには設けられていない。そのため、多種多様なロール紙を使用するに至っては、エア吸引手段と上流側補助ローラとの隙間や、上流側補助ローラとカッタユニットとの隙間においてロール紙がカールすることにより、紙浮きが発生する場合がある。特許文献１と同様に、切断装置の搬送方向上流側に紙浮きが発生していると、カッタユニットの移動に伴い、ロール紙は紙浮きによるたるみ分だけ搬送方向下流側に引っ張られた状態となるため、切断動作の過程でロール紙の位置が変位するおそれがある。ロール紙は、カッタユニットの移動経路に沿って切断されるため、ロール紙の位置が切断動作の過程で変位すれば、カットラインが直線にならず、切断開始側にて曲がるおそれがある。
【０００９】
本発明では、切断位置近傍において、記録媒体の紙浮きが発生しても、ロール紙のカットラインを直線にすることが可能な記録装置を提供することを目的とする。
【課題を解決するための手段】
【００１０】
本発明の記録装置は、記録媒体の搬送方向に対して直交する方向に延びる刃先を有する固定刃と、前記固定刃の前記刃先に斜めに当接する回転刃と、を有し、前記回転刃を前記固定刃の前記刃先に沿って移動させることにより前記記録媒体を切断する切断装置と、前記切断装置を二つ以上設けられた切断位置のいずれかに移動させる昇降手段と、を有し、前記切断装置の少なくとも一つの前記切断位置は、前記記録媒体の搬送面より上方に突出した上方突出位置にあり、前記昇降手段は切断位置近傍における前記記録媒体の前記搬送面からの浮き量がある閾値より大きいときに前記切断装置の前記切断位置を前記上方突出位置に移動させる。
【発明の効果】
【００１１】
本発明の記録装置では、２つ以上の切断位置を設け、切断位置近傍における記録媒体の浮き量に応じて切断装置の位置を切り換えることにより、紙浮きによる記録媒体のたるみの影響を低減させた状態で、切断装置が記録媒体を切断することができる。
【００１２】
本発明では、切断位置近傍において、記録媒体の紙浮きが発生しても、ロール紙のカットラインを直線にすることが可能な記録装置を提供することができる。
【図面の簡単な説明】
【００１３】
【図１】第１の実施形態に係る記録装置の模式的縦断面図である。
【図２】切断装置と昇降手段を示す斜視図である。
【図３】回転刃と固定刃との位置関係を示す上面図である。
【図４】従来の記録装置においてロール紙を切断した場合の模式的縦断面図である。
【図５】従来の記録装置においてロール紙を切断した場合の切断状態を示す上面図である。
【図６】切断装置が切断位置から退避した位置にある状態を示す模式的縦断面図である。
【図７】切断装置が第１の切断位置にある状態を示す模式的縦断面図である。
【図８】切断装置が第２の切断位置にある状態を示す模式的縦断面図である。
【図９】浮き量検出手段が紙浮き量を検出する状態を示す模式的縦断面図である。
【図１０】浮き量検出手段の検出方法を示す説明図である。
【図１１】第１の実施形態に係る記録装置の記録動作を示すフローチャートである。
【図１２】第２の実施形態に係る浮き量推測手段の推測方法の一例を示す表である。
【発明を実施するための形態】
【００１４】
次に、本発明の実施の形態について図面を参照して説明する。なお、各図面を通して、同一符号は同一または対応部分を示すものである。
【００１５】
図１は本発明の第１の実施形態に係る記録装置の模式的縦断面図である。図１を参照して、記録装置にロール紙が給紙され、切断装置により切断されるまでの一連の動作について説明する。図１において、インクジェットプリンタ１は、シリアルタイプの走査方式で画像を記録する記録装置である。ロール紙給紙ローラ２は、搬送手段としての一対のローラからなり、ロール紙１０１を搬送ローラ３に搬送する。搬送ローラ３は、搬送手段としての一対のローラからなり、画像記録部にロール紙１０１を搬送する。キャリッジ４は、画像記録手段である記録ヘッドを搭載し、走査ガイドとしてのキャリッジシャフト５に沿って往復移動可能に案内支持されている。プラテン６は、画像記録部においてロール紙１０１を裏面から案内支持し、記録ヘッドとロール紙１０１とのギャップを保証している。排紙ローラ７と拍車７ａとは、対をなして、画像記録部から送られてきたロール紙１０１を排紙部材９に案内するための搬送手段である。なお、ロール紙１０１の画像記録面側には、インクが転写しないように拍車７ａを用いている。切断装置８は、排紙ローラ７と排紙口との間に設けられ、回転刃２１と固定刃３１とを備え、ロール紙１０１を所定のサイズに切り分ける。また、切断装置８は、ロール紙１０１の搬送面に対して昇降移動可能である。なお、ロール紙１０１は、連続したロール状の記録紙やプラスチックシートからなる記録媒体であり、その材質は紙に限定されるものではない。
【００１６】
ロール紙１０１に画像を記録する際、ロール紙１０１は、ロール紙給紙ローラ２により搬送ローラ３に導かれる。ロール紙１０１が搬送ローラ３に導かれると、ロール紙給紙ローラ２はニップを開放した状態となる。搬送ローラ３に導かれたロール紙１０１は、搬送ローラ３により画像記録部に搬送される。画像記録部において、キャリッジ４の往動または復動による１ライン分のスキャンにより画像を記録すると、ロール紙１０１を搬送ローラ３により矢印Ａの方向（搬送方向）に所定ピッチだけ送り、キャリッジ４を再び移動させて次のラインの画像記録を行う。これを繰り返してページ全体に画像が記録される。ロール紙１０１の画像記録済み部は、装置本体の外部にある排紙部材９へ向けて搬送される。画像記録が終了すると、ロール紙１０１は搬送ローラ３により所定の切断位置まで搬送される。ロール紙１０１の切断位置までの搬送が終了すると、排紙ローラ７と拍車７ａとでロール紙１０１を挟持する。そして、切断動作の信号により、切断装置８は所定の切断位置に移動させられ、画像記録後のロール紙１０１は、切断位置にある切断装置８である回転刃２１と固定刃３１とによって切断される。切断動作前に排紙ローラ７と拍車７ａとでロール紙１０１を挟持することにより、切断時におけるロール紙１０１の浮き上がりを防止することができ、正確にロール紙１０１を切断することができる。また、切断装置８は排紙ローラ７と排紙口との間に設けられているため、切断されたロール紙１０１は、その自重により排紙部材９に排紙される。なお、画像記録中において、プラテン６の通紙面と、固定刃３１の上面の関係は、固定刃３１の上面の方が低い。また、切断動作中において、固定刃３１の上面と、排紙部材９の上面の関係は、排紙部材９の上面の方が低い。
【００１７】
次に図２、図３、図４及び図５を参照して、切断装置８について説明する。図２は切断装置と昇降手段を示す斜視図である。図３は回転刃と固定刃との位置関係を示す上面図である。図４は従来の記録装置において、切断装置の搬送方向上流側にてロール紙の紙浮きが発生した状態でロール紙を切断した場合のロール紙の挙動を示す模式的縦断面図である。図５は従来の記録装置において、ロール紙の紙浮きが発生した状態でロール紙を切断した場合の切断状態を示す上面図である。図２、図３、図４及び図５において、切断装置８は、カッタキャリッジ２０と、固定刃レールユニット３０とを有する。カッタキャリッジ２０は、回転刃２１と、回転刃ホルダ２２とを有する。固定刃レールユニット３０は、固定刃３１と、ガイドレール３２と、スライダ３３と、プーリ３４と、ベルト３５とを有する。回転刃２１は、固定刃３１の搬送方向下流側に配され、角度αを設けて、固定刃の刃先３１ａに回転可能に当接するよう回転刃ホルダ２２に保持されている。ガイドレール３２は、カッタキャリッジ２０をロール紙１０１の搬送方向に対して直交する方向Ｂ及び方向Ｃに案内するように構成されており、ロール紙１０１の通紙面と平行な平面部を有する。その平面部の上面には、直線状の固定刃３１が長手方向に沿って、両面テープまたはスポット溶接などの手段によって固定されている。固定刃３１は、ロール紙１０１の搬送方向に対して直交する方向に固定刃の刃先３１ａが設けられている。スライダ３３は、カッタキャリッジ２０を保持し、ガイドレール３２の内側を摺動するように設けられており、プーリ３４に掛け渡されたベルト３５を介して、不図示のモータによりロール紙１０１の搬送方向に対して直交する方向Ｂ及び方向Ｃに移動可能である。カッタキャリッジ２０の切断待機位置と切断終了位置は、最大幅のロール紙１０１を搬送した場合でも、ロール紙１０１の搬送を妨害しないように、ロール紙１０１の搬送面の更に外側に設けられている。ここで、回転刃２１と固定刃３１とは、協働してロール紙１０１を切断するように設けられており、ロール紙１０１のカットラインは固定刃の刃先３１ａに略一致する。
【００１８】
ロール紙１０１の切断時には、回転刃２１の切断方向Ｂへの移動の際、回転刃２１は角度αを有することにより、搬送方向上流側に喰い込もうとする。すなわち、回転刃２１はロール紙１０１に対して、搬送方向上流側から下流側に引き出す力を作用させて切断することとなる。したがって、図４に示すように、従来の記録装置において、切断装置の搬送方向上流側にてロール紙の紙浮きが発生した場合、実線で示した切断開始前のロール紙１０１は、切断時、紙浮きによるたるみ分だけ搬送方向下流側に引っ張られ、矢印Ｄの方向に変位する。すなわち、回転刃２１の切断方向Ｂへの移動に伴い、実線で示した切断開始前のロール紙１０１は、点線で示した切断途中のロール紙１０２に寸法ｙだけ搬送方向下流側に変位した状態となる。そのため、ロール紙１０１のカットライン１０１ａは切断開始側にて寸法ｙだけ曲がった状態となり、図５に示すような切断状態となる。
【００１９】
次に、図２、図６、図７及び図８を参照して、昇降手段４０による切断装置８の昇降移動について説明する。図６は切断装置が切断位置から退避した位置にある状態を示す模式的縦断面図である。図７は切断装置がロール紙の搬送面にある第１の切断位置にある状態を示す模式的縦断面図である。図８は切断装置がロール紙の搬送面より上方に突出した第２の切断位置にある状態を示す模式的縦断面図である。図２、図６、図７及び図８において、昇降手段４０は、昇降カム４１と、昇降カム軸４２と、昇降バネ４３とを有する。昇降カム４１は、切断装置８のロール紙１０１の幅方向外側の両端部に配され、不図示のモータにより切断装置８を矢印Ｅの方向に押し付けるように構成されている。昇降カム軸４２は、両端部に設けられた昇降カム４１のうちの一方に不図示のモータにより動力が伝えられた際、同位相で両端部に設けられた昇降カム４１を回転させる。昇降バネ４３は、切断装置８のロール紙１０１の幅方向外側の両端部に配され、切断装置８を矢印Ｆの方向に押し付けるように構成されており、昇降カム４１と対をなして、切断装置８を矢印Ｅ及び矢印Ｆの方向に昇降移動させる。
【００２０】
昇降手段４０により、図６に示すように、切断装置８を切断位置から退避した位置に昇降移動させる際、昇降カム４１を所定の位置まで回動させることにより、切断装置８は昇降カム４１により矢印Ｅの方向に最も押し込まれた状態となる。切断装置８を、図７に示す第１の切断位置や、図８に示す第２の切断位置に昇降移動させる際も、切断装置８は昇降カム４１の回動位置により昇降位置が決められる。
【００２１】
また、切断装置８が、図７に示す第１の切断位置に配された状態において、切断装置８の搬送方向上流側にロール紙１０１の紙浮きが発生していた場合、切断装置８が、昇降手段４０により、図８に示す第２の切断位置に昇降移動させられる。この際、切断装置８がロール紙１０１の搬送面より上方に突出させられるため、ロール紙１０１の紙浮きを吸収することができる。したがって、切断装置８の搬送方向上流側のロール紙１０１のたるみを減少させることができる。
【００２２】
次に、図９及び図１０を参照して、浮き量検出手段５０について説明する。図９は浮き量検出手段が紙浮き量を検出する状態を示す模式的縦断面図である。図１０は浮き量検出手段の検出方法を示す説明図である。図９及び図１０において、浮き量検出手段５０は、駆動回路５１ａと、光源５１ｂと、投光レンズ５１ｃと、受光レンズ５１ｄと、位置検出素子（ＰＳＤ）５１ｅと、アンプ５１ｆとを有する。浮き量検出手段５０は、切断装置８の搬送方向上流側におけるロール紙１０１の紙浮き量ｚを検出するためのものであり、切断装置８の上方に配されている。
【００２３】
駆動回路５１ａによって駆動された光源５１ｂから発せられた光が、投光レンズ５１ｃで集光されて対象物体であるロール紙１０１の表面に照射される。ロール紙１０１から反射された反射光は、受光レンズ５１ｄによって、位置検出素子（ＰＳＤ）５１ｅ上に集光される。ロール紙１０１に紙浮きが生じていると、光源５１ｂからロール紙１０１までの距離が変化し、位置検出素子（ＰＳＤ）５１ｅの２つのアンプ５１ｆからの出力Ｘ１、Ｘ２の比が変化する。これによって、ロール紙１０１の紙浮き量ｚを検出することができる。ここで、検出された紙浮き量ｚが、予め設定している閾値ｈと比較して大か小かにより、紙浮き量大か紙浮き量小かを判別する。
【００２４】
図１１は本実施形態に係る記録装置の記録動作を示すフローチャートである。図１１において、まず、ステップＳ１で、ホストコンピュータより送出された印刷画像データ（画像情報）を記録装置の制御基板で受信すると、ステップＳ２で、切断装置８は図７に示したロール紙１０１の搬送面にある第１の切断位置に移動させられる。そして、ステップＳ３で、印刷画像データがフチなし印刷か否かを判別する。印刷画像データがフチあり印刷の場合、画像データを印刷する（ステップＳ１２）。印刷画像データがフチなし印刷の場合、ステップＳ４で、画像データを印刷する。
【００２５】
ステップＳ５でロール紙１０１の画像記録部先端切断位置が切断装置８による切断位置まで搬送されたか否かを判別する。ロール紙１０１の画像記録部先端切断位置が切断装置８による切断位置まで搬送されるまで、このステップＳ４からステップＳ５の処理を繰り返す。ロール紙１０１の画像記録部先端切断位置が切断装置８による切断位置まで搬送されると、ステップＳ６で、浮き量検出手段５０により切断装置８の搬送方向上流側の紙浮き量ｚを検出する。検出された紙浮き量ｚが、紙浮き量が大か小かを算出する閾値ｈと比較されることにより、紙浮き量大か否かを判別する。ステップＳ６で、紙浮き量が大であると判別されると、切断装置８を図８に示したロール紙１０１の搬送面より上方に突出した第２の切断位置に移動させる（ステップＳ７）。ステップＳ６で、紙浮き量が小であると判別される、もしくは、ステップＳ７で、切断装置８が第２の切断位置に移動させられると、カッタキャリッジ２０による切断動作が行われる（ステップＳ８）。このように、カッタキャリッジ２０による切断動作前に、切断装置８が切断位置を変化させられることにより、切断装置８の搬送方向上流側に発生するロール紙１０１の紙浮きによるたるみを防止することができ、カットラインを直線にすることが可能となる。そして、ステップＳ９で、切断装置８は図６に示した切断位置から退避した位置に移動させられた後、カッタキャリッジ２０が切断待機位置まで移動させられる（ステップＳ１０）。そして、ステップＳ１１で、切断装置８は再び図７に示したロール紙１０１の搬送面にある第１の切断位置に移動させられる。このように、カッタキャリッジ２０が切断待機位置まで移動させられる前に、切断装置８は図６に示した切断位置から退避した位置に移動させられる。これにより、ロール紙１０１を切断するカッタキャリッジ２０の往路の移動と、カッタキャリッジ２０を切断待機位置に戻す復路の移動とでロール紙１０１に対する切断装置８の位置関係を変化させている。そのため、復路の移動の際、カッタキャリッジ２０とロール紙１０１との接触を防止することができ、ロール紙１０１の画像記録面に発生する傷を防止することができる。
【００２６】
ステップＳ１２で、画像データを印刷し、ステップＳ１３で、画像データの印刷終了を判別すると、ロール紙１０１の画像記録部後端切断位置が切断装置８による切断位置まで搬送される（ステップＳ１４）。そして、ステップＳ１５で、ステップＳ６と同様に切断装置８の搬送方向上流側の紙浮き量を判別して、紙浮き量が大であると判別されると、切断装置８を図８に示したロール紙１０１の搬送面より上方に突出した第２の切断位置に移動させる（ステップＳ１６）。ステップＳ１５で、紙浮き量が小であると判別される、もしくは、ステップＳ１６で、切断装置８が第２の切断位置に移動させられると、カッタキャリッジ２０による切断動作が行われる（ステップＳ１７）。ここでもまた、カッタキャリッジ２０による切断動作前に、切断装置８が切断位置を変化させられることにより、切断装置８の搬送方向上流側に発生するロール紙１０１の紙浮きによるたるみを防止することができ、カットラインを直線にすることが可能となる。そして、ステップＳ１８で、切断装置８は図６に示した切断位置から退避した位置に移動させられた後、ステップ１９でカッタキャリッジ２０が切断待機位置まで移動させられ、画像記録動作が終了する。
【００２７】
なお、本実施形態において、切断位置はロール紙１０１の搬送面にある第１の切断位置と、ロール紙１０１の搬送面より上方に突出した第２の切断位置との２つしか設けていないが、２つ以上であれば任意の数だけ切断位置を設定することができる。これにより、ロール紙１０１に多様な紙浮きが発生したとしても対応可能となる。
【００２８】
また、画像データを印刷している際、切断装置８はロール紙１０１の搬送面にある第１の切断位置に配されているが、ロール紙１０１の搬送面より上方に突出していなければ良く、例えば、切断装置８は切断位置から退避した位置に配されても良い。これにより、多種多様なロール紙１０１に画像データを印刷している際、カール等による搬送ジャムを防止することができる。
【００２９】
以上、説明したように、本実施形態の場合、切断装置８の切断位置は２つ以上設けられており、切断位置近傍におけるロール紙１０１の紙浮き量に応じて切り換える構成としている。また、切断装置８の搬送方向上流側の紙浮き量を浮き量検出手段５０により直接検出することができる構成としている。これらにより、切断装置８の搬送方向上流側に発生するロール紙１０１の紙浮きによるたるみを防止することができ、カットラインを直線にすることが可能となる。
【００３０】
また、切断装置８は切断位置と切断位置から退避させた位置とに移動可能であり、ロール紙１０１の切断動作時か否かに応じて切り換える構成としている。これにより、ロール紙１０１を切断するカッタキャリッジ２０の往路の移動と、カッタキャリッジ２０を切断待機位置に戻す復路の移動とでロール紙１０１に対する切断装置８の位置関係を変化させている。そのため、復路の移動の際、カッタキャリッジ２０とロール紙１０１との接触を防止することができ、ロール紙１０１の画像記録面側に発生する傷を防止することができる。
【００３１】
次に、本発明の第２の実施形態について図面を参照して説明する。ここでは、記録媒体浮き量検出手段についての変形例を示すが、第１の実施形態と同じ構成要素に関しては、同一符号を用い、その説明は割愛する。
【００３２】
図１１及び図１２を参照して、浮き量推測手段について説明する。図１２は浮き量推測手段の推測方法の一例を示す表である。図１１及び図１２において、浮き量推測手段は、記録媒体情報と、画像情報と、環境とから切断装置８の搬送方向上流側の紙浮き量を推測している。記録媒体情報は、更に詳細には、記録媒体の種類と、巻き径とに分割される。画像情報は画像のインク打ち込み量が大か小か、ということである。環境とは例えば温度のことである。第１の実施形態とは、図１１のステップＳ６及びステップＳ１５における、切断装置８の搬送方向上流側の紙浮き量が大か否かを判別する手段のみが異なる。第２の実施形態においては、図１１のステップＳ６及びステップＳ１５の判別に図１２に示す表を当てはめて行われる。
【００３３】
したがって、本実施形態の場合、切断装置８の搬送方向上流側の紙浮き量を検出する浮き量検出手段５０を設けなくとも、第１の実施形態と同等な効果をあげることができるため安価に課題を解決することができる。
【００３４】
なお、本発明は上記実施形態に限定されることなく、切断装置が移動する構成であれば、上記各実施形態を適用することができる。
【符号の説明】
【００３５】
８  切断装置
２１  回転刃
３１  固定刃
４０  昇降手段
１０１  ロール紙
【図１】
2013111915.tif 000003
【図２】
2013111915.tif 000004
【図３】
2013111915.tif 000005
【図４】
2013111915.tif 000006
【図５】
2013111915.tif 000007
【図６】
2013111915.tif 000008
【図７】
2013111915.tif 000009
【図８】
2013111915.tif 000010
【図９】
2013111915.tif 000011
【図１０】
2013111915.tif 000012
【図１１】
2013111915.tif 000013
【図１２】
2013111915.tif 000014